(57)【特許請求の範囲】
【請求項１】
下記の(ａ)(ｂ)(ｃ)(ｄ)(ｅ)(ｆ)に特徴を有する、
ボックス部(10)と、このボックス部(10)に回動自在に連結された蓋(11)と、ボックス部(10)に固定され、前記ボックス部(10)から突出するカラー(12)とからなり、前記カラー(12)が、材料残存部(52,53)によって前記蓋(11)と連結されており、前記蓋(11)が初めて開かれるとき、前記蓋から分離される、紙巻き煙草などのためのヒンジ蓋付きボックス。
(ａ)カラー(12)が、中間部材すなわち折り曲げガセット(46,47)を介して、蓋(11)と連結される
(ｂ)切断可能な材料残存部(52,53)が、カラー(12)と、折り曲げガセット(46,47)との間に形成される
(ｃ)折り曲げガセット(46,47)が、接着によって、蓋(11)の内側、すなわち、蓋の側壁(20)と蓋の前部壁(18)、および、蓋の前部壁(18)と蓋の側壁(21)の連結される
(ｄ)折り曲げガセット(46,47)は、接着されているために、たとえ、蓋(11)が初めて開かれるときでも、また、材料残存部(52,53)が切断されるときでも、蓋(11)に固定されたままである
(ｅ)折り曲げガセット(46,47)は、それぞれ、関節ウエブ(54,55)によって蓋(11)に連結される
(ｆ)折り曲げガセット(46,47)をカラー(12)に連結するための関節ウエブ(54,55)と材料残存部(52,53)は、どちらも、ボックス部(10)の長手方向折り曲げ線(50,51)とカラー(12)の折り曲げ縁部(48,49)の区域に延在する
【請求項２】
折り曲げガセット(46,47)は、関節ウエブ(55)の方向に先細りである傾斜縁部、すなわち、斜めの縁部(56)と対応縁部(57)によって区画されており、斜めの縁部(56)によって区画される側タブ(35,36)と対応縁部(57)によって区画される内側タブ(33)は、互いに重なったり、蓋(11)のカバータブ(34)と接したり連結されたりしないが、互いに接近した位置関係にある点を特徴とする請求項1記載のヒンジ蓋付きボックス。
【請求項３】
折り曲げガセット(46,47)は、蓋(11)の前部および上部のコーナーの区域に配置され、接着によって蓋(11)の境界部分に連結される点を特徴とする請求項1または２記載のヒンジ蓋付きボックス。
【請求項４】
蓋(11)が最初に開かれる前に、蓋の前部壁(18)および/または蓋の側壁(20,21)は、切断可能な材料ウエブ(40,41)によって、ボックスの前部壁(13)および/またはボックスの側壁(15,16)に連結される点を特徴とする請求項1記載のヒンジ蓋付きボックス。
【請求項５】
下記の(ａ)(ｂ)(ｃ)(ｄ)(ｅ)(ｆ)に特徴を有する、
複数の折り曲げ線によって区画され、ボックス部(10)の形成を意図する主ブランク(27)と、前記主ブランクに連結された蓋(11)とからなり、また、さらに、
当該ブランクから形成されたヒンジ蓋付きボックスの蓋(11)が最初に開かれたとき、前記の材料残存部(52,53)が切断されるように、材料残存部(52,53)を介して、主ブランク(27)に連結されたカラー(12)からなる、紙巻き煙草などを収容するためのヒンジ蓋付きボックス用ブランク。
(ａ)カラー(12)が、中間部材すなわち折り曲げガセット(46,47)を介して、蓋(11)と連結される
(ｂ)折り曲げガセット(46,47)は、自由なカラーの境界部(44)と蓋(11)の一部を形成するための折り曲げタブ(35,33,36)との間に設けられる
(ｃ)切断可能な材料残存部(52,53)は、カラーの境界部(44)と折り曲げガセット(46,47)との間に設けられる
(ｄ)折り曲げガセット(46,47)は、それぞれ、関節ウエブ(54,55)によって、蓋(11)の区域において主ブランク(27)に連結される
(ｅ)折り曲げガセット(46,47)をカラー(12)に連結するための関節ウエブ(54,55)と材料残存部(52,53)は、どちらも、主ブランク(27)の長手方向折り曲げ線(50,51)およびカラー(12)の折り曲げ縁部(48,49)の区域に配置される
(ｆ)関節ウエブ(54,55)は、長手方向折り曲げ線(50,51)の連続部として延在しており、折り曲げガセット(46,47)は、完成したヒンジ蓋付きパックにおいては、一方において、蓋の側壁(20)および蓋の前部壁(18)と、他方において、蓋の側壁(21)と接している
【請求項６】
カラー(12)が、カラー境界部(44)に沿って延在する分離切断部によって主ブランク(27)から区画されており、
前記分離切断部は、少なくとも一組の材料残存部(52,53) 以外のすべての部分によって、折り曲げガセット(46,47)をカラー(12)から分離している点に特徴を有する請求項５記載のブランク。
【発明の詳細な説明】
【０００１】
【産業上の利用分野】
この発明は、ボックス部と、このボックス部に回動自在に連結された蓋と、ボックス部に固定され、副区域によって前記ボックス部から突出するカラーとからなり、前記カラーが、残存材料部によって前記蓋と連結されており、前記蓋が初めて開かれるとき、前記蓋から分離される、紙巻き煙草などのためのヒンジ蓋付きボックスに関する。
【０００２】
【従来の技術】
紙巻き煙草などのためのヒンジ蓋付きボックスは、薄いカードボードで構成される。このタイプのパックに従来から備わるカラーは、実際上、別体のブランクである。このことは、余分の材料を要し、製造費も高くつく。
【０００３】
このような理由で、カラーがヒンジ蓋付きボックス用の主ブランクに連結されている、共通のブランクに関する提案は、これまでに既に行われて公知になっている。
【０００４】
【発明が解決しようとする課題】
ヒンジ蓋付きボックスとカラーが共通の１ブランク内で一体であるこのようなブランクの場合は、カラーは、一方において材料節減の目的を達するために、他方において機械的な特定の折り曲げによって、パック用として適切なブランク内の位置に折り曲げられるように配置しなければならない。
【０００５】
このような要件の配慮の上に立って、この発明は、カラーを備えるヒンジ蓋付きボックスすなわち主ブランクとカラーからなり、前記カラーが、共通ブランク内に省材料態様で配置されており、ヒンジ蓋付きボックスの製造中に、単純に、このタイプのパックの適切な位置に折り曲げられるような共通のブランクを設計することを目的とする。
【０００６】
【課題を解決するための手段】
この目的を達成するために、この発明のヒンジ蓋付きボックスは、カラーが中間部材、特に折り曲げガセットによって蓋に連結される点、および、カラーと中間部材すなわち折り曲げガセットの間に、切断可能な材料の残存部が形成される点に特徴を有する。
【０００７】
【作用】
中間部材は、実際的には必ず三角形状の折り曲げガセットとして設計され、これが、カラーを第１の折り曲げによって、ヒンジ蓋付きボックスの設計に対応するように自動的に位置決めを行うことを可能とする。中間部材すなわち折り曲げガセットによって、ヒンジ蓋付きボックスの組み立てが完了したとき、上部に位置するカラーの限界部は、蓋の上部壁または端部壁から適当な距離を隔てて自動的に配置される。材料の残存部は、蓋が開かれるとき切断され、カラーの限界部が従来のヒンジ蓋付きボックスの態様で、従来どおりの形で進むように配置される。
【０００８】
この発明の共通のブランクは、カラーが、蓋の区域において、中間部材すなわち折り曲げガセットによって主ブランクと連結するように設計される。この折り曲げガセットは、カラーの両折り曲げ縁部の区域と、蓋および／または主ブランクの前側の長手方向両折り曲げ線の区域に形成される。好ましくは三角形または台形状のこれらの折り曲げガセットは、関節線を介してカラーの折り曲げタブと、また、材料残存部を介してカラーと連結する。
【０００９】
ヒンジ蓋付きボックスを製造する際に、カラーが、折り曲げガセットとともに、位置的に正確な態様で、蓋およびボックス部の前部および側部の折り曲げタブの内側と接するように、主ブランクの内側に折り曲げられる。この配置において、カラーは、特に接着によって、ボックス前部の重層区域（ボックス前部壁およ
び／またはボックス部両側壁）と連結される。両折り曲げガセットは、主ブランクおよびカラーの両者と連結されたままである。ヒンジ蓋付きボックスの組み立てが完了した状態では、折り曲げガセットとカラーの間の材料のウエブおよび／または残存部が切断される。
【００１０】
蓋上部壁の内側の両折り曲げタブ、すなわちコーナータブと内側の長手方向タブは、カラーによって、すなわちカラー前部壁とカラ両側タブの上部限界によって、積極的に整合する態様で補完し合う。両折り曲げガセットは、同様に、カラーおよび蓋の上部壁の内側の折り曲げタブによって、積極的に整合する態様で区画される。
【００１１】
この発明の別の細部は、ブランク各部の設計と配置およびヒンジ蓋付きボックスの形成過程における折り曲げ作用に関する。
【００１２】
【実施例】
添付図面を参照しつつ、この発明のブランクおよびヒンジ蓋付きボックスの模範実施例を説明する。
【００１３】
１つの内部包装体に包まれた（図示しない）紙巻き煙草を収容するヒンジ蓋付きボックスは、底部のボックス部10と蓋11からなる。ヒンジ蓋付きボックス内にはカラー12が固着されており、カラーの下部区域はボックス部内に装着され、カラーの前記ボックス部からの突出部は、ボックスが閉じた状態では蓋11に囲まれる。
【００１４】
ボックス部10は、ボックスの前部壁13、ボックスの後部壁14、幅の狭い直立する両側壁15,16 および底部壁17とで構成される。したがって、蓋11は、蓋の前部壁18、蓋の後部壁19、幅の狭い蓋の両側壁20,21 および蓋の上部壁22からなる。
【００１５】
ボックス部10と蓋11は、ボックスの後部壁14と蓋の後部壁19の区域において、正確にいえば関節線23に沿って互いに回動自在に連結される。
【００１６】
カラー12は、カラーの前部壁24とカラーの２つの側タブ25,26 を形成する。前記カラーの前部壁は、その下部区域によってボックスの前部壁13と向かい合って接し、例えば接着によって前記ボックスの前部壁と連結されている。カラーの２つの側タブ25,26 は、ボックスの両側壁15,16 の内側に設けられる。
【００１７】
このように設計されるヒンジ蓋付きボックスは、全体として、もともとは、好ましくは、薄いカードボードからなる１部材のブランクから構成される。図３、４、５に示す１部材のブランクは、主部すなわちボックス部10と蓋11のための主ブランク27と、これに連結するカラー12からなる。
【００１８】
図３、図４に示す模範実施例においては、主ブランク27および、これから製造されるヒンジ蓋付きボックスは、「横断方向の折り曲げ」原理にしたがって設計される。このことは、主ブランク27の区域に、ボックスの後部壁14、ボックスの側壁15、ボックスの前部壁13およびボックスの第２の側壁16が、互いに並列に配置されていることを意味する。同様に、蓋の後部壁19、蓋の側壁20、蓋の前部壁18および蓋の他方の側壁21が、横断方向に並列に配置されている。
【００１９】
連結ストリップ28が、ボックスの側壁16と蓋の側壁21とに亘る区域に配置される。ヒンジ蓋付きボックスが完成状態にあるときは、前記連結ストリップは、特に接着によって、ボックスの後部壁14および蓋の後部壁19の内側と連結される。
【００２０】
底部壁17は、複数の相互に連結された底タブ、すなわち、ボックス後部壁14の区域における内側の長手方向タブ29、ボックス前部壁13の区域における外側の長手方向タブ30、および、それぞれの側壁15,16の区域におけるコーナータブ31,32 とによって形成される。
【００２１】
同様に、蓋の上部壁22は、内側タブ33、蓋の後部壁19と隣接する外側カバータブ34、および蓋の両側タブ20,21と隣り合う両側タブ35,36とで構成される。蓋の上部壁22の前記両折り曲げタブもまた、接着によって互いに連結されている。
【００２２】
主ブランク27を「横断方向の折り曲げ」原理にしたがって設計する場合は、蓋の前部壁18と蓋の両側壁20,21の両区域は、ボックスの前部壁13とボックスの両側壁15,16とに隣接する。蓋の両側壁20,21と、ボックスの両側壁15,16は、それぞれ、斜めの打ち抜き部37,38 によって互いに分離される。同様に、蓋の前部壁18およびボックスの前部壁13の両区域内には、横断方向を向く分離切断部39が延在しており、両打ち抜き切断部37,38の両端部と境を接する。しかしながら、この区域においては、ボックス部10と蓋の関連する両壁の間には、正確にいえば材料ウエブ40,41によって、一時的な連結部が実現される。これらは、ブランク材料の薄く幅の狭い残存連結部である。ヒンジ蓋付きボックスが初めて開かれるとき、これらの材料ウエブ40,41は切断され、これらが、最初は連結していたパックの両部分、すなわち、ボックスの前部壁13と蓋の前部壁18に痕跡部42,43を残すこととなる（図２参照）。
【００２３】
カラー12は、上部壁22の前記両折り曲げタブの区域において主ブランク27と隣り合う。図３のカラー12の初期位置は、折り曲げが終わった場合、すなわちカラー12を、主ブランク27（図４）の内側と向き合う位置へと１８０度に亘って折り曲げたと想定したときに、カラー12が、パックに対して自動的に正確に適合する位置（図４参照）を占めるように選択されている。この位置に来るためには、ヒンジ蓋付きボックス内では上方を向くカラーの境界部44が、カラーの両側タブ25,26およびカラーの前部壁24の横方向部の区域において、主ブランク27の横断方向折り曲げ線45から、したがって蓋の前部壁と蓋の両側壁20,21の折り曲げ線45から、或る距離を隔てて配置されなければならない（図４参照）。
【００２４】
ブランクの一体性を維持する限り、この距離は中間部材によって、現模範実施例においては、カラー12と主ブランク27の間の連結部として、三角形または台形の折り曲げガセット46,47によって形成される。折り曲げガセット46,47は、カラー12の直立した折り曲げ両縁部48,49の区域に、すなわちカラー前部壁24とカラーの両側タブ25,26との間に延在する。折り曲げガセット46,47は、主ブランク27に向かって先細りに傾斜しており、横断方向の折り曲げ線45の区域、および主ブランク27の長手方向両折り曲げ線50,51の区域において、ブランク27に連結される。長手方向両折り曲げ線50,51は、ヒンジ蓋付きボックス内において、前方の直立した両折り曲げ縁部を形成する。
【００２５】
したがって、カラー12は、両折り曲げガセット46,47の区域を除いて、カラーの境界部44の輪郭と同形の分離部または打ち抜き切断部によって、主ブランク27から、その全幅に亘って分離される。現実施例においては、前記両折り曲げガセット46,47は、材料残存部52,53を介してのみカラー12と連結する。前記材料残存部52,53は、ヒンジ蓋付きボックスが最初に開かれるとき、同様に切断される。反対側では、両折り曲げガセット46,47は、先細りの両端部によって、関節ウエブ54,55を介して、すなわち長手方向折り曲げ線50,51の上部両端部の区域において、主ブランク27と連結する。
【００２６】
カラー12が、図３の位置から図４の位置へ折り曲げられると、両折り曲げガセット46,47も、カラー12とともに、主ブランク27の内側に向かって折り曲げられ、両折り曲げ縁部が関節ウエブ54,55の区域に形成される。ヒンジ蓋付きボックスが、その組み立てを完了した状態にあるとき（図２）は、両折り曲げガセット46,47は、蓋11の前方の上部両コーナー59,60 内に、正確にいえば蓋の前部壁18と蓋の両側壁20,21 と接して配置される。この位置において、両折り曲げガセット46,47 は接着によって固定されることが好ましく、その結果、ヒンジ蓋付きボックスが開かれても、両折り曲げガセット46,47は前記の位置にとどまる。
【００２７】
比較的小さく細長い両側タブ35,36が、カラー12と主ブランク27の間の分離切断部の形状として得られる。両折り曲げガセット46,47の形状が原因となって、前記両側タブは、斜めの両縁部56を具備する。これら両縁部56は、内側タブ33の斜めに走る、前記両縁部56と対をなす両縁部57と対応する。したがって、前記両折り曲げタブは、互いに接触することなく上部壁22の面内に折り曲げることができる。３つの折り曲げタブ、すなわち、内側タブ33、両側タブ35,36は、正確にいえば外側カバータブ34の内側に配置される。
【００２８】
内側タブ33の全外形は、カラー前部壁24の区域におけるカラーの上部境界部44と連続する部分の形状と対応する。この場合は、ヒンジ蓋付きボックスに従来から備わる凹部58が、紙巻き煙草の抜き取りに好都合なように、カラーの前部壁24に設けられている。
【００２９】
図４の位置において、カラー12は、下部区域において、ボックス部10の壁部と連結するが、蓋11の壁部とは連結されていない。したがって、ヒンジ蓋付きボックスが開かれるとき、蓋11はカラー12から引き離すことができる。
【００３０】
幾何学的明細を考慮に入れるためには、カラー12は、共通の１ブランクの内部においては、隣接する主ブランク27の区域よりも、その幅が狭く形成される。
【００３１】
図５は、「長手方向の折り曲げ」原理にしたがって設計されるヒンジ蓋付きボックス用のブランクを示す。これは、連続する１部材の底部壁61を具備する点で、図３、４の前記ブランクとは異なる。前記底部壁は、ボックスの前部壁13とボックスの後部壁14の間に設けられる。ブランクは縦長に設計されているので、蓋11の折り曲げタブと壁は、主ブランク27の両端部区域に配置される。
【００３２】
ボックス部10と蓋11の側壁が、どちらの場合も、互いに重なり互いに連結された複数の折り曲げタブ、すなわち、ボックスの両側タブ62,63および蓋の側タブ64,65を有する点においてさらに別の相違がある。
【００３３】
蓋の前部壁18および外側の蓋の両側タブ64,65は、図３と同様に、二箇所で曲がる分離切断部39によって、ボックス前部壁13および外側のボックス両側タブ62,63から分離される。分離切断部39は、ブランクの境界から或る距離を隔てて終っており、連結ウエブ66を形成する。ブランクは、したがって、やはり材料ウエブ40,41 によって、ともにこの区域で支持される。カラー12は、図３、４と同様な態様で、すなわち、両折り曲げガセット46,47の区域において、主ブランク27と境を接する。これらは既述の態様で設計される。同じことが上部壁22を形成するための両折り曲げタブにも当て嵌まる。
【００３４】
この実施例においても、カラー12が、ボックス前部壁13と蓋の前部壁18の内側に向かって１８０度に亘って折り曲げられる。その余の折り曲げ工程は従来の態様で行われる。
【００３５】
【発明の効果】
この発明によって、カラーが中間部材、特に折り曲げガセットによって蓋に連結され、カラーと中間部材すなわち折り曲げガセットの間に、切断可能な材料の残存部が形成される、主ブランクとカラーからなり、前記カラーが、共通ブランク内に省材料態様で配置されており、ヒンジ蓋付きボックスの製造中に、単純な手段によって、このタイプのパックの適切な位置に折り曲げられるような共通のブランクを得ることができる。
【図面の簡単な説明】
【図１】閉じたヒンジ蓋付きボックスの斜視図。
【図２】開いた状態にある図１のヒンジ蓋付きボックスの斜視図。
【図３】図１、２のヒンジ蓋付きボックス用の展開（共通）ブランク。
【図４】中間的な折り曲げ状態にある図３のブランク。
【図５】他の実施例の展開（共通）ブランク。
【図６】図３または図５のブランク細部の極端な拡大図。
【符号の説明】
１０…ボックス部，１１…蓋，１２…カラー，２７…主ブランク，４４…カラー境界部，４６，４７…折り曲げガセット，４８，４９…折り曲げ縁部，５０，５１…折り曲げ線，５２，５３…材料残存部，５４，５５…関節ウエブ。
【図１】
0003616160.tif 000002
【図２】
0003616160.tif 000003
【図３】
0003616160.tif 000004
【図４】
0003616160.tif 000005
【図５】
0003616160.tif 000006
【図６】
0003616160.tif 000007